(57)【要約】【課題】  果肉入り飲料、粉末ジュースを溶かした飲料等を収納する透明ボトルは、それ等飲料の残滓状物がボトルの底壁上へ沈殿し、消費者に異物混入の疑惑を生じさせることがあるため、それ等疑惑等が生じないよう設けた。【解決手段】  上記飲料収納の透明ボトル１の少くとも下部の全体を、ボトル内の透視が不能な不透明部分とした。【選択図】  図１
2005239270.tif 000002
【特許請求の範囲】
【請求項１】
少くとも胴下部の全体を、収納物の透視が不能な不透明部分とした
ことを特徴とする透明ボトル。
【請求項２】
更に底壁の全体を、収納物の透視が不能な不透明部分とした
ことを特徴とする請求項１記載の透明ボトル。
【請求項３】
上記不透明部分を、胴下部外面へ巻付け抱持させた不透明なラベル11で形成した
ことを特徴とする請求項１記載の透明ボトル。
【請求項４】
上記不透明部分を、底壁下面全体から胴下部全体に亘って不透明フィルム11'を貼着させて形成した
ことを特徴とする請求項２記載の透明ボトル。
【請求項５】
上記ボトルを合成樹脂材で成形して、上記不透明部分を白化13で形成した
ことを特徴とする請求項１又は請求項２記載の透明ボトル。
【請求項６】
上記不透明部分を、ボトル壁部へ形成したダイヤカット模様12で形成した
ことを特徴とする請求項１又は請求項２記載の透明ボトル。
【請求項７】
上記不透明部分を、ボトル壁部への印刷乃至塗装により形成した
ことを特徴とする請求項１又は請求項２記載の透明ボトル。
【発明の詳細な説明】
【技術分野】
【０００１】
本発明は、プラスチックないし硝子等で形成した透明ボトルに関する。
【背景技術】
【０００２】
ペットボトルの胴部外面へラベルを貼着することが知られている（特許文献１）。
【特許文献１】特開２００３−２１２２２６号公報
【発明の開示】
【発明が解決しようとする課題】
【０００３】
ペットボトル等の透明ボトル内へ、例えば果肉入り飲料、粉末入りジュース、パウダー入り液体化粧料等を充填すると、それ等の滓状物がボトル底壁上へ沈殿して消費者に異物混入の疑惑を生じさせて購買意欲を低下させることがある。
【０００４】
上記従来例のようなラベルをボトル胴部の中間部外面へ巻付け貼着することでも、或る程度上記沈殿物を見え難くすることが出来るが、ラベル下方から上記沈殿物が見え、又ラベル余白部分が透明であれば、該透明部分からも沈殿物が見え、その効果は充分ではない。
【０００５】
本発明は、上記のような透明ボトルの少くとも胴下部全体を、ペットボトル等の白化、又ボトル壁部に形成した多数凹凸による光線の屈折ないし、胴下部の全体を抱持させた透明部分を有しないラベル等で収納物の透視が不能とすることで、上記従来の欠点を除去できるよう設けたものである。
【課題を解決するための手段】
【０００６】
第１の手段として少くとも胴下部の全体を、収納物の透視が不能な不透明部分とした。    
【０００７】
第２の手段として、上記第１の手段を有し、更に底壁の全体を、収納物の透視が不能な不透明部分とした。
【０００８】
第３の手段として、上記第１の手段を有すると共に上記不透明部分を、胴下部外面へ巻付け抱持させた不透明なラベル11で形成した。
【０００９】
第４の手段として、上記不透明部分を、底壁下面全体から胴下部全体に亘って不透明フィルム11'を貼着させて形成した。
【００１０】
第５の手段として、上記第１又は第２の手段を有すると共に上記ボトルを合成樹脂材で成形して、上記不透明部分を白化13で形成した。
【００１１】
第６の手段として、上記第１又は第２の手段を有すると共に上記不透明部分を、ボトル壁部へ形成したダイヤカット模様12で形成した。
【００１２】
第７の手段として、上記第１又は第２の手段を有すると共に上記不透明部分を、ボトル壁部への印刷乃至塗装により形成した。
【発明の効果】
【００１３】
請求項１記載のようにすることで、透明なボトル内の沈殿物を見えなくすることが出来、よって沈殿物が見える場合のように消費者に無駄な不安感を起こさせることがない。
【００１４】
請求項２記載のようにすることで、請求項１記載の場合の効果を有するほか、消費者が容器を手にとって底面から見ても沈殿物を見えなくすることができる。
【００１５】
請求項３記載のようにすることで、請求項１記載の場合の効果を有するほか、ラベル11にラベル機能のほか、ボトル底部内を隠す化粧機能を持たせることが出来、商品に対する消費者の不信感を除去できる。
【００１６】
請求項４のようにすることで、請求項２の場合の効果のほか、ボトルの胴下部及び底部を容易に不透明化することができる。
【００１７】
請求項５のようにすることで、請求項１又は請求項２記載の効果のほか、白化13されたボトル部分の剛性を高めることが出来る。
【００１８】
請求項６記載のようにすることで、請求項１又は請求項２記載の効果のほか、ダイヤカット模様13を施すことで、ボトル胴部の下部に光沢を持たせてボトルの装飾性も高めることが出来る。
【００１９】
請求項７記載のようにすることで、印刷乃至塗装により更に多様な装飾効果をもたらすことができる。
【発明を実施するための最良の形態】
【００２０】
以下図１が示す第１実施形態について説明すると、１は透明ボトルで、胴部２上端から上内方へ肩部３を介して口頸部４を起立し、該口頸部の下部には斜下外方へ突出させた外向きフランジ５を有し、かつ該外向きフランジ上方の口頸部部分の上下方向中間部は、上下に上向きおよび下向き段部を有する外方への張出し部６とし、該張出し部上方口頸部分外面へはキャップ螺合用雄ねじ７を周設している。胴部２および肩部は、四方角部を面取り８した、横断面正方形状とし、かつ胴部の上下方向中間にはくびれ部９を周設し、又胴部上下の四面部分にはそれぞれ凹部10を形成している。
【００２１】
上記ボトルは透明であればどのような形状でもよく、胴部を円筒状としたり、又上記面取り８や、凹部10を除去することが出来る。
【００２２】
図示例において、上記くびれ部９下方の下半胴部分外面へは、シュリンクフィルムで形成したラベル11を巻付け、その胴部下半を抱持させている。該ラベルは胴部下半の下端から上端までの長さとしているが、該ラベルの主要目的は透明ボトルの底壁上の沈殿物を、消費者の眼に触れないようにすることにあるから、胴部下半の全体よりも短かく、胴部の下部外面だけを覆うものであってもよい。尚ラベル11上方のボトル透明部分からボトル内を透視することは可能であるが、上記沈殿物はボトル底壁を目線の高さに位置させない限り見え難く、従ってボトルの上部外方からボトル内が見えても差支えない。
【００２３】
上記ラベル11はシュリンクフィルムでなくてもよく、この場合は抜け出ししないよう緊密に巻付けすればよい。尚ラベルはそのほぼ全体が印刷等により不透明であることが必要である。
【００２４】
図２、図３は第２、第３実施形態を示す。これ等実施形態は第１実施形態とほぼ同様の透明ボトルを使用しており、よって第１実施形態と同一部分については同一符号を付することで説明を省略する。
【００２５】
上記図示例においては、ボトル胴下部に設けた不透明部分を胴下部へ覆合させたラベルで形成したが、図２が示す第２実施形態のように上記不透明部分を、胴部の下部外面へ直接形成した公知のダイヤカット模様12で形成してもよい。尚、図示はしないが、該模様に代えてグラディエーション模様としてもよい。更に図３が示す第３実施形態のように透明ボトル１をペット等のプラスチックボトルとした場合は、上記不透明部分を白化13させて形成してもよい。胴下部を白化13させ、胴上部を透明として、白化部分から透明部分へ次第に透明度が高くなるようにすることも出来、このようにすれば透明ボトルの装飾性を高め、ボトルに高級感を生じさせることが出来る。
【００２６】
図４は、第４実施形態を示す。該実施形態は第１実施形態におけるラベル11に代えて、透明ボトルの底壁下面全体から胴下部の外面全体に亘って貼着させた不透明フィルム（例えはシュリンクフィルム）11' としたものである。尚、ラベルに代えて底壁を白化させ、或いは底壁にダイヤカット模様を形成させてもよい。
【００２７】
更に上記白化等に代えて不透明部分を塗装、印刷等で形成することも考えられる。又、ボトルの胴下部と底部とをそれぞれ異なる方法（例えば印刷と白化）で不透明化することもできる。
【図面の簡単な説明】
【００２８】
【図１】第１実施形態で示す、本発明ボトルの正面図である。
【図２】第２実施形態で示す、本発明ボトルの正面図である。
【図３】第３実施形態で示す、本発明ボトルの正面図である。
【図４】第４実施形態で示す、本発明ボトルの正面図である。
【符号の説明】
【００２９】
１  透明ボトル                      ２  胴部
11  ラベル                          11' 不透明フィルム
12  ダイヤカット模様                13  白化
【図１】
2005239270.tif 000003
【図２】
2005239270.tif 000004
【図３】
2005239270.tif 000005
【図４】
2005239270.tif 000006